(57)【特許請求の範囲】
【請求項１】
複数の毛が束ねられた穂首の根元が支持本体に設けられた凹部に差し込まれて穂先が前記凹部から突出されてなる毛体付把持部材であって、
前記凹部の底面に取付けられた第一磁石体に対して、前記穂首の根元に取付けられた第二磁石体を磁力で組み付けられることで両者が一体的に接続されてなり、前記第一磁石体に対して第二磁石体を引き離すことで両者が分離されるように穂首脱着自在としたもので、
前記支持本体には前記第一磁石体がそれぞれ取付けられた複数の凹部が形成されるとともに、前記穂首も前記第二磁石体がそれぞれ取付けられた複数個からなり、肌に当てられるマッサージ用ブラシであることを特徴とする毛体付把持部材。
【発明の詳細な説明】
【技術分野】
【０００１】
本発明は、毛体付把持部材に関する。より具体的には、書筆，絵筆又は化粧筆やあるいは肌に当てられるマッサージ用ブラシなど、穂首が柄や台座といった支持本体に取付けられた毛体付把持部材に関するものである。
【背景技術】
【０００２】
例えば、書筆として、基部を緊縛した穂首を金属パイプに挿入し、その金属パイプを僅かに突出させて軸筒に挿入し接着剤で固定するとともに、金属パイプの突出部分をかしめたものが開示されている（特許文献１）。
【０００３】
これによれば、金属パイプで穂首の基部で穂首の中心部に向かって円周でかしめてなるので、糸での緊縛及び接着剤での固定と相まって穂首の毛抜け及び穂首抜けを完全に防止することができるといった効果が得られる。
【先行技術文献】
【特許文献】
【０００４】
【特許文献１】実開平２−１０６３８４号公報
【発明の概要】
【発明が解決しようとする課題】
【０００５】
しかしながら、特許文献１に記載の発明では、穂首は金属パイプを介して軸筒に固定され、穂首が抜けることはないので、長年の使用により穂首が傷んでしまうと書筆をまるごと廃棄しなくてはならない。
【０００６】
これでは、例えば、ダイヤモンドや金を散りばめるとか、あるいは名前を彫ったもののように、柄の部分に高級な細工や記念などにより特別な細工を施したとしても、穂首が傷むと書筆としての機能を有さないので、なかなか書筆として使用することができずに飾りやインテリアとしてしか使用することができないという問題があった。
これは、書筆に限らず、絵筆や化粧筆においても同様の問題があった。
【０００７】
一方、図１０に示すように、複数個（ここでは６個）の穂首１（１ａ，１ｂ，１ｃ，１ｄ，１ｅ，１ｆ）が楕円柱状（あるいは四角柱状）の台座５に取付けられ、穂先を人の肌に当てることで血行をよくしたり、あるいは癒し効果が得られるようにしたマッサージ用ブラシ１０が知られている。
このようなマッサージ用ブラシ１０においても、穂首１は台座５にしっかり固定されているので、一つの穂首１が傷んでしまうと全体を交換する必用があった。
【０００８】
また、穂首が柄の部分や台座に固定されていると、穂の部分を洗うときに根元部分に汚れが残る場合があり、きれいに掃除することは困難である。
【０００９】
そこで、本発明の目的とするところは、支持本体から穂首を容易に脱着自在としてお手入れなど使い勝手の良い毛体付把持部材を提供することにある。
【課題を解決するための手段】
【００１０】
上記の目的を達成するために、本発明は、複数の毛が束ねられた穂首（５１〜５６，７１，８１）の根元（５１ｂ〜５６ｂ，７１ｂ，８１ｂ）が支持本体（５７，７７，８７）に設けられた凹部（長孔）（５８，７８，８８）に差し込まれて穂先（５１ａ〜５６ａ，７１ａ，８１ａ）が前記凹部（５８，７８，８８）から突出されてなる毛体付把持部材（５０，７０，８０）であって、
前記凹部（５８，７８，８８）の底面（５８ａ，７８ａ，８８ａ）に取付けられた第一磁石体（６１）に対して、前記穂首（５１〜５６，７１，８１）の根元（５１ｂ〜５６ｂ，７１ｂ，８１ｂ）に取付けられた第二磁石体（６２）を磁力で組み付けられることで両者が一体的に接続されてなり、前記第一磁石体（６１）に対して第二磁石体（６２）を引き離すことで両者が分離されるように穂首脱着自在としたもので、
前記支持本体（５７）には前記第一磁石体（６１）がそれぞれ取付けられた複数の凹部（５８）が形成されるとともに、前記穂首（５１〜５６）も前記第二磁石体（６２）がそれぞれ取付けられた複数個からなり、肌に当てられるマッサージ用ブラシ（５０）であることを特徴とする。
【００１６】
ここで、上記括弧内の記号は、図面および後述する発明を実施するための形態に掲載された対応要素または対応事項を示す。
【発明の効果】
【００１７】
本発明によれば、穂首と支持本体を第一磁石体，第二磁石体といった磁石（磁力）を介して容易に脱着自在にしたので、穂首側が傷んだとしても毛体付把持部材の全体を廃棄する必要はなく、傷んだ穂首だけを取り換えるだけでよい。
よってコストを低減することができる。
【００１９】
また、本発明によれば、穂首だけを取り外して洗うことができるのでお手入れが容易であり、お手入れ中に支持本体を濡らして傷めることもない。
【００２０】
また、複数の穂首のうち傷みの激しいものだけを新しいものと取り換えたり、ローテーションしたり、あるいは部分的に種類の異なるものを使用してマッサージ効果を高めるようにすることができる。
また、穂首側に異なる種類のもの、例えば、材質や形状や長さの異なるものを使用することができる。
【００２２】
なお、本発明のように、磁石を介して穂首とそれを支持する支持本体とを着脱自在にする点は、上述した特許文献１には全く記載されていない。
【図面の簡単な説明】
【００２３】
【図１】本発明の第１実施形態に係るマッサージ用ブラシ５０を示す斜視図である。
【図２】図１に示すマッサージ用ブラシ５０を示す平面図である。
【図３】図２に示すＡ−Ａ線断面図である。
【図４】図１に示す台座５７の平面図である。
【図５】図４に示すＢ−Ｂ線断面図である。
【図６】図１に示す穂首５１を示す正面図である。
【図７】図１に示すマッサージ用ブラシ５０から２個の穂首を外した状態を示す斜視図である。
【図８】本発明の第２実施形態に係る化粧筆８０で一部を断面で示す正面図である。
【図９】本発明の第３実施形態に係る書筆９０で一部を断面で示す正面図である。
【図１０】従来例に係るマッサージ用ブラシ１０を示す斜視図である。
【発明を実施するための形態】
【００２４】
（第１実施形態）
図１乃至図６を参照して、本発明の第１実施形態に係る毛体付把持部材５０を説明する。
この毛体付把持部材５０は、図１及び図２に示すように、複数個（ここでは６個）の複数の毛が束ねられた穂首５１，５２，５３，５４，５５，５６が支持本体としての台座５７に取付けられ、穂先５１ａ〜５６ａを人の肌に当てることで血行をよくしたり、あるいは癒し効果が得られるように使用されるマッサージ用ブラシ５０である。
【００２５】
台座５７は三角柱状でその上面には複数個（ここでは６個）の凹部５８が設けられ、ここに穂首５１〜５６の根元５１ｂ〜５６ｂが差し込まれている。このとき、穂首５１〜５６は、その穂先５１ａ〜５６ａが凹部５８から突出された状態で台座５７に取付けられている。
凹部５８は、図４及び図５に示すように、台座５７の上面において、台座５７を上下に貫通しないように設けられた断面円形状の長孔で、しかも隣接する凹部５８とは同一の間隔をあけて設けられている。
【００２６】
そして、図５に示すように、凹部５８の底面５８ａには円盤状の第一磁石体６１が取付けられている。第一磁石体６１は凹部５８の底面５８ａに接着剤によって強固に取付けられていて容易に外れることはない。
また、図６に示すように、穂首５１の根元５１ｂには円盤状の第二磁石体６２が取付けられている。第二磁石体６２は穂首５１の根元５１ｂに接着剤によって強固に取付けられていて容易に外れることはない。なお、穂首５１の根元５１ｂは接続剤によって一体的に固定されている。その他の穂首５２〜５６についても同一の構成でそれぞれ第二磁石体６２が取付けられている。
【００２７】
第一磁石体６１と第二磁石体６２とは一方がＮ極を帯びたもので他方がＳ極を帯びたものであり両者が接近すると磁力によって引き合って一体的に接続されるようになっている。
これにより、台座５７の凹部５８に差し込まれた穂首５１〜５６は、磁石（磁力）によって台座５７に組み付けられる。
【００２８】
このとき、第一磁石体６１と第二磁石体６２が引き合う磁力は、使用者がマッサージ用ブラシ５０の台座５７を把持して、穂先５１ａ〜５６ａを患者の肌に当ててなでるように使用しても、さらには患者の肌に強めに当てたとしても、台座５７から穂首５１〜５６は容易に外れない程度の力であるとともに、使用者が強い力を加えて穂首５１〜５６を引っ張ると台座５７から分離する程度の力に設定されている。
【００２９】
このように構成されたマッサージ用ブラシ５０によれば、穂首５１〜５６と台座５７を第一磁石体６１，第二磁石体６２といった磁石（磁力）を介して容易に脱着自在にしたので、穂首５１〜５６側が傷んだとしても全体を廃棄する必要はなく、傷んだ穂首５１〜５６だけを取り換えるだけでよい。
よってコストを低減することができる。
【００３０】
また、穂首５１〜５６だけを取り外して洗うことができるのでお手入れが容易であり、台座５７を濡らして経時的に疲労（台座５７を木製とした場合の腐りや、金属製とした場合の錆など）を蓄積させることもない。
【００３１】
さらには、複数の穂首５１〜５６のうち傷みの激しいものだけを新しいものと取り換えたり、ローテーションしたり、あるいは部分的に種類の異なるものを使用してマッサージ効果を高めるようにすることができる。
また、穂首５１〜５６側に異なる種類のもの、例えば、材質や形状や長さの異なるものを使用することができる。ここでは、穂先５１ａ〜５６ａとして丸みを持ったもので根元５１ｂ〜５６ｂ側よりも径が大きく隣接する穂先同士が接する程度のものとしたが特に限定されるものではない。
【００３２】
なお、穂首５１〜５６はここに示した６個のものに限定されるものではなく、根元側に第二磁石体６２が取付けられた穂首を複数種類のものを容易して必要に応じて台座５７の狙いとする凹部５８に組付けてマッサージ効果を高めることができる。例えば、６個の穂首のうち一つを穂先の長いものにしたり、他の穂首よりも材質の柔らかいもの、逆に材質の硬いものにしたりするなどバリエーションが広がる。
また、図７に示すように、６個の穂首５１〜５６のすべてを使用することなくそのうちの４個（５１〜５４）を使用するなどすることもできる。
【００３３】
なお、台座５７を正三角柱状にすることで使用者は把持しやすく、どの方向であっても使い勝手がよいようにすることもできる。
【００３４】
（第２実施形態）
次に、図８を参照して、本発明の第２実施形態に係る毛体付把持部材８０を説明する。
この毛体付把持部材８０は、複数の毛が束ねられた一つの穂首８１が支持本体としての柄８７に取付けられた化粧筆８０である。
【００３５】
柄８７の先端には、凹部８８が形成されその底面８８ａには、上述した第一磁石体６１が接着剤によって強固に取付けられている。
そして、この凹部８８の第一磁石体６１に対して、穂首８１の根元８１ｂに取付けられた第二磁石体６２を磁力で組み付けられることで両者が一体的に接続されてなり、第一磁石体６１に対して第二磁石体６２を引き離すことで両者が分離されるように穂首脱着自在の化粧筆８０とされている。
【００３６】
このとき、第一磁石体６１と第二磁石体６２が引き合う磁力は、使用者が化粧筆８０の柄８７を把持して、穂先８１ａを頬に当ててファンデーションなどを塗る場合であっても、柄８７から穂首８１は容易に外れない程度の力であるとともに、使用者が強い力を加えて穂首８１を引っ張ると柄８７から分離する程度の力に設定されている。
【００３７】
このように構成された化粧筆８０によれば、穂首８１と柄８７を第一磁石体６１，第二磁石体６２といった磁石（磁力）を介して容易に脱着自在にしたので、穂首８１側が傷んだとしても全体を廃棄する必要はなく、傷んだ穂首８１だけを取り換えるだけでよい。
よってコストを低減することができる。
また、穂首８１だけを取り外して洗うことができるのでお手入れが容易である。
【００３８】
また、柄８７については替える必要はないので、柄８７に高価なものや思い出に残るものを使用したり、ネーミングなどを施すことができる。また、柄８７にアニメなどキャラクターをあしらうこともできるなど柄８７側を特注品とすることもできる。
また、例えば、化粧ポーチに柄８７を一本だけ入れるとともに、頬や口紅用など種々の穂首を入れて取り替えながら使用することができるので荷物のコンパクト化が図れ、特に旅行などの場合便利である。
【００３９】
（第３実施形態）
次に、図９を参照して、本発明の第３実施形態に係る毛体付把持部材７０を説明する。
この毛体付把持部材７０は、複数の毛が束ねられた一つの穂首７１が支持本体としての柄７７に取付けられた書筆７０である。
【００４０】
柄７７の先端には、凹部７８が形成されその底面７８ａには、上述した第一磁石体６１が接着剤によって強固に取付けられている。
そして、この凹部７８の第一磁石体６１に対して、穂首７１の根元７１ｂに取付けられた第二磁石体６２を磁力で組み付けられることで両者が一体的に接続されてなり、第一磁石体６１に対して第二磁石体６２を引き離すことで両者が分離されるように穂首脱着自在の書筆７０とされている。
【００４１】
このとき、第一磁石体６１と第二磁石体６２が引き合う磁力は、使用者が書筆７０の柄７７を把持して、穂先７１ａに墨をつける場合や、半紙などに当てて書をする場合であっても、柄７７から穂首７１は容易に外れない程度の力であるとともに、使用者が強い力を加えて穂首７１を引っ張ると柄７７から分離する程度の力に設定されている。
【００４２】
このように構成された書筆７０によれば、穂首７１と柄７７を第一磁石体６１，第二磁石体６２といった磁石（磁力）を介して容易に脱着自在にしたので、穂首７１側が傷んだとしても全体を廃棄する必要はなく、傷んだ穂首７１だけを取り換えるだけでよい。
よってコストを低減することができる。
また、穂首７１だけを取り外して洗うことができるのでお手入れが容易である。
【００４３】
また、柄７７については替える必要はないので、柄７７に高価なものや思い出に残るものを使用したり、ネーミングなどを施すことができる。
【符号の説明】
【００４４】
１（１ａ〜１ｆ）      穂首
５      台座
１０      マッサージ用ブラシ
５０      マッサージ用ブラシ
５１      穂首
５１ａ    穂先
５１ｂ    根元
５２      穂首
５２ａ    穂先
５２ｂ    根元
５３      穂首
５３ａ    穂先
５３ｂ    根元
５４      穂首
５４ａ    穂先
５４ｂ    根元
５５      穂首
５５ａ    穂先
５５ｂ    根元
５６      穂首
５６ａ    穂先
５６ｂ    根元
５７      台座（支持本体）
５８      凹部
５８ａ    底面
７０      書筆
７１      穂首
７１ａ    穂先
７１ｂ    根元
７７      柄（支持本体）
７８      凹部
７８ａ    底面
８０      化粧筆
８１      穂首
８１ａ    穂先
８１ｂ    根元
８７      柄（支持本体）
８８      凹部
８８ａ    底面
【要約】
【課題】支持本体から穂首を容易に脱着自在としてお手入れなど使い勝手の良い毛体付把持部材を提供する。
【解決手段】複数の毛が束ねられた穂首５１〜５６の根元５１ｂ〜５６ｂが支持本体５７に設けられた凹部５８に差し込まれて穂先５１ａ〜５６ａが凹部５８から突出されてなる毛体付把持部材５０であって、凹部５８の底面５８ａに取付けられた第一磁石体６１に対して、穂首５１〜５６の根元５１ｂ〜５６ｂに取付けられた第二磁石体６２を磁力で組み付けられることで両者が一体的に接続されてなり、第一磁石体６１に対して第二磁石体６２を引き離すことで両者が分離されるように穂首脱着自在とした。
【選択図】図１【図１】
0006721814.tif 000002
【図２】
0006721814.tif 000003
【図３】
0006721814.tif 000004
【図４】
0006721814.tif 000005
【図５】
0006721814.tif 000006
【図６】
0006721814.tif 000007
【図７】
0006721814.tif 000008
【図８】
0006721814.tif 000009
【図９】
0006721814.tif 000010
【図１０】
0006721814.tif 000011